(57)【特許請求の範囲】
【請求項１】
着用者の顔面部に着用し、着用者の呼吸状態による圧力差を用いて酸素を着用者に供給したり、二酸化炭素及び湿気を排出する呼吸部と、
前記呼吸部から排出した二酸化炭素及び湿気を底面の二酸化炭素供給孔を介して供給する二酸化炭素供給部と、
上面が開放された状態で、前記二酸化炭素供給部の外側に結合され、内部に充填された二酸化カリウム（ＫＯ2）と二酸化炭素の反応、又は二酸化カリウムと湿気の反応により酸素を発生させる酸素発生部と、
前記酸素発生部の外側に配置される酸素移動部と、
前記酸素発生部に取り付けられ、前記発生した酸素を酸素移動部を経て貯蔵する酸素貯蔵部と、
前記酸素移動部の両側面に各々取り付けられ、前記酸素貯蔵部に貯蔵された酸素に残留する二酸化炭素を除去し、当該酸素の温度及び湿度を下げて前記呼吸部に供給するフィルタ部と、を備えることを特徴とする、
緊急避難用酸素マスク。
【請求項２】
前記酸素発生部及び前記酸素移動部は、
各々半円筒型構造であり、前記酸素移動部内に前記酸素発生部が配置され、且つ側面部のみに酸素が移動する経路が設けられるように前記酸素発生部の前面と前記酸素移動部の背面が密着して配置されることを特徴とする、請求項１に記載の緊急避難用酸素マスク。
【請求項３】
前記酸素発生部には、２乃至４ｍｍ粒径の二酸化カリウム（ＫＯ2）が充填されることを特徴とする、請求項１に記載の緊急避難用酸素マスク。
【請求項４】
前記フィルタ部は、発生した酸素から残留二酸化炭素を除去する二酸化炭素吸着部と、前記二酸化炭素が除去された酸素から湿気を除去すると共に、当該酸素の温度を下げる湿気除去部とから構成されることを特徴とする、請求項１に記載の緊急避難用酸素マスク。
【請求項５】
前記二酸化炭素吸着部には、ソーダライム(soda lime)が充填されることを特徴とする、請求項４に記載の緊急避難用酸素マスク。
【請求項６】
前記湿気除去部には、シリカゲルが充填されることを特徴とする、請求項４に記載の緊急避難用酸素マスク。
【請求項７】
前記呼吸部は、
吸入口及び排気口を備え、着用者の呼吸器の周辺に、外気から分離される空間を設けるマスクと、
前記マスクが離脱しないように固定し、且つ着用者の頭部の後方で相互締結が可能な第１及び第２締結紐と、
前記第１及び第２締結紐に各々設けられ、着用者の耳が前記第１及び第２締結紐にひっかからずに締結され得るようにするイヤガイドと、
前記第１及び第２締結紐を着用者の頭部の後方下段で相互締結可能なバンドクリップと、を備えることを特徴とする、請求項１に記載の緊急避難用酸素マスク。
【請求項８】
前記第１及び第２締結紐は、各々の両端が前記マスクの両側面に各々互いに所定の距離をもって離隔して固定され、各々の中央部にバンドクリップが固定されることを特徴とする、請求項７に記載の緊急避難用酸素マスク。
【請求項９】
前記第１及び第２締結紐の両端が各々両側面に各々互いに所定の距離をもって離隔して固定され、前記マスクの外面に密着して前記マスクと着用者の顔面部とを密着させるマスクガイドをさらに備えることを特徴とする、請求項７に記載の緊急避難用酸素マスク。
【請求項１０】
前記第１又は第２締結紐の中央部に結合され、相互結合した前記第１又は第２締結紐の垂れ下がりを防止すると共に、前記マスクの保管時に吸入口を密閉するパッドをさらに備えることを特徴とする、請求項７に記載の緊急避難用酸素マスク。
【請求項１１】
前記バンドクリップは、
前記第１又は第２締結紐の中央部に結合されるフックを含むフック部と、
前記第２又は第１締結紐の中央部に結合され、前記フックに脱着可能なループを含むループ部と、を備え、
前記フックの内側には、前記ループの離脱が容易でないように突出部が設けられることを特徴とする、請求項７に記載の緊急避難用酸素マスク。
【請求項１２】
前記マスクと着用者の鼻面とを密着させる折り曲げ型クリップをさらに備えることを特徴とする、請求項７に記載の緊急避難用酸素マスク。
【請求項１３】
前記マスクの上部側から突出した多数の結合突起と、
前記結合突起により前記マスクの上部側に結合されるメガネ部と、をさらに備えることを特徴とする、請求項７に記載の緊急避難用酸素マスク。
【請求項１４】
前記マスクには、太陽光又は室内照明により電源を充填する太陽電池（solar cell）が設けられることを特徴とする、請求項７に記載の緊急避難用酸素マスク。
【発明の詳細な説明】
【技術分野】
【０００１】
本発明は、緊急避難用酸素マスクに関し、特に着用者が吐き出した息を酸素に変換して着用者が再呼吸することができるようにすると共に、着用が容易であり、且つメガネ部の脱着が容易な緊急避難用酸素マスクに関する。
【背景技術】
【０００２】
一般的に、建物の内部装飾として合成高分子の使用量が増加するにつれて、火災の発生時、着用者が出口まで到達する前に、数分内に有毒ガスに起因して窒息死する事故がしきりに発生する。
【０００３】
このような点に鑑みて、緊急避難用酸素マスクは、火災の発生時、初期に数秒乃至数分間酸素を供給されて呼吸しつつ、避難できるようにしたもので、従来、緊急避難用酸素マスクは、圧縮酸素を利用したり、水と化学物質との反応を通じて酸素を提供する方式を使用している。
【０００４】
しかしながら、このように圧縮酸素、又は水と化学物質との反応を利用する場合、圧縮酸素タンクの体積が大きくて、且つ水を保管するための水桶の体積が大きいという問題点があった。
【０００５】
また、緊急避難用酸素マスクに結合された多重の締結紐を具備していて、着用者が頭の上方から緊急避難用酸素マスクを被る形態を有している。
【０００６】
この際、着用者の頭部の後方上側には、締結紐の束が位置し、マスクの垂れ下がりを防止するようになる。
【０００７】
このような着用形態は、着用者が頭を保護するためのヘルメットを着用した場合、ヘルメットを脱いで、緊急避難用酸素マスクを着用しなければならないという不便があり、また、締結紐の束が着用者の頭部の後方上側に位置するので、ヘルメットの着用が容易ではないなどの問題点があった。
【発明の開示】
【発明が解決しようとする課題】
【０００８】
本発明は、前述のような問題点を解決するためになされたもので、その目的は、水や圧縮酸素を携帯しなくとも、緊急状況で避難時間の間に酸素を発生させることができる緊急避難用酸素マスクを提供することにある。
【０００９】
また、本発明の他の目的は、簡単な構造を使用して酸素発生装置の体積を低減することができる緊急避難用酸素マスクを提供することにある。
【００１０】
また、本発明のさらに他の目的は、ヘルメットを着用した状態でも容易に着用することができ、メガネ部の脱着を容易にして、使用目的に応じてメガネ部を選択的に着用することができる緊急避難用酸素マスクを提供することにある。
【００１１】
また、本発明のさらに他の目的は、着用者の顔面部との密着度を高めることによって、有毒ガスが顔面部との間隙に流入することを防止することができる緊急避難用酸素マスクを提供することにある。
【課題を解決するための手段】
【００１２】
前記目的を達成するために、本発明の一態様に係る緊急避難用酸素マスクは、着用者の顔面部に着用し、着用者の呼吸状態による圧力差を用いて酸素を着用者に供給したり、二酸化炭素及び湿気を排出する呼吸部と、前記呼吸部から排出した二酸化炭素と湿気を底面の二酸化炭素供給孔を介して供給する二酸化炭素供給部と、上面が開放された状態で、前記二酸化炭素供給部の外側に結合され、内部に充填された二酸化カリウム（ＫＯ2）と二酸化炭素の反応、又は二酸化カリウムと湿気の反応により酸素を発生させる酸素発生部と、酸素移動部により移動した酸素を貯蔵する酸素貯蔵部と、前記酸素移動部の両側面に各々取り付けられ、前記酸素貯蔵部に貯蔵された酸素に残留する二酸化炭素を除去し、当該酸素の温度及び湿度を下げて前記呼吸部に供給するフィルタ部と、を備えることを特徴とする。
【００１３】
前記呼吸部は、吸入口及び排気口を備え、着用者の呼吸器の周辺に、外気から分離される空間を設けるマスクと、前記マスクが離脱しないように固定し、且つ着用者の頭部の後方で相互締結が可能な第１及び第２締結紐と、前記第１及び第２締結紐に各々設けられ、着用者の耳が前記第１及び第２締結紐にひっかからずに締結され得るようにするイヤガイドと、前記第１及び第２締結紐を着用者の頭部の後方下段で相互締結可能なバンドクリップと、を備えることができる。
【発明の効果】
【００１４】
本発明に係る緊急避難用酸素マスクは、簡単な構造を使用して、着用者が吐き出した息に含まれた二酸化炭素を用いて酸素を発生させ、発生した酸素を着用者が呼吸するのに適当な温度や湿度に変換し、着用者が呼吸できるようにすることによって、避難時間の間に充分の酸素を供給することができるので、人命被害を低減することができ、保管と携帯が容易であるという効果がある。
【００１５】
また、本発明の緊急避難用酸素マスクは、ヘルメット着用者がヘルメットを脱がなくても、緊急避難用酸素マスクを容易に着用することができるので、緊急避難用酸素マスクの着用時間を低減することができ、有害ガスから着用者の安全を一層保護することができるという効果がある。
【００１６】
また、本発明の緊急避難用酸素マスクは、イヤガイドを適用して、締結紐が着用者の耳にひっかかることを防止することができると共に、着用者が妨害無しに周辺の声を聞くことができるようにして、着用の便宜性を向上させることができ、緊急時、周辺の案内に応じて迅速に避難することができるという効果がある。
【００１７】
さらに、本発明の緊急避難用酸素マスクは、メガネ部の脱着が容易なので、使用目的に応じて容易にメガネ部を選択的に使用することができ、適用範囲を拡大することができると共に、経済的であるという効果がある。
【００１８】
さらに、本発明の緊急避難用酸素マスクは、マスクと着用者の顔面とをさらに密着させる手段を設けることによって、火災などにより汚染された外気から着用者を一層安全に保護することができるという効果がある。
【００１９】
また、本発明の緊急避難用酸素マスクは、太陽光又は室内照明を用いて電源を蓄積することによって、蓄積された電源を使用して、緊急避難用酸素マスク着用者の音声を増幅したり、非常照明を使用することができるようにして、管理の便宜性を向上させることができると共に、火災などの緊急時、避難路の確保と意志疎通を容易にするという効果がある。
【発明を実施するための最良の形態】
【００２０】
以下、添付の図面を参照して本発明の好適な実施形態を詳細に説明する。下記の実施形態は、当業者に本発明の思想が十分に伝達され得るようにするために一例として提示されるものである。したがって、本発明は、下記の実施形態に限らず、様々な変形が可能である。なお、 本明細書において、同一の参照番号は、同一の構成要素を示す。
【００２１】
＜実施形態１＞
図１は、本発明の一実施形態に係る緊急避難用酸素マスクを示す前面透視図であり、図２は、その平面透視図であり、図３は、その使用状態図である。
【００２２】
図１乃至図３を各々参照すれば、本発明の一実施形態に係る緊急避難用酸素マスクは、着用者の呼吸器を外気から分離し、吸入口と吐出口を備えた呼吸部１００と、前記呼吸部１００の中央部に取り付けられた二酸化炭素流入部２１０と、前記二酸化炭素流入部２１０を介して流入された二酸化炭素及び湿気を二酸化カリウム（ＫＯ2）と反応させて酸素を発生させる酸素発生部２２０と、前記酸素発生部２２０から発生した酸素を、酸素発生部２２０の下部に取り付けられた酸素貯蔵部２４０に移動させる酸素移動部２３０と、前記酸素貯蔵部２４０の上部及び前記酸素移動部２３０の側面に配置され、前記未反応の二酸化炭素を除去すると共に、湿気を吸収し、浄化された酸素を前記呼吸部１００に供給するフィルタ部２５０と、を備えて構成される。
【００２３】
以下、前述のような本発明の一実施形態に係る緊急避難用酸素マスクの構成及び作用について詳細に説明する。
【００２４】
まず、前記二酸化炭素流入部２１０、酸素発生部２２０及び酸素移動部２３０は、各々大きさが異なる半円周形状よりなり、着用時、着用者の顔面側が平面であり、外側が曲面である。
【００２５】
また、当該酸素移動部２３０の両側面には、半円周形状のフィルタ部２５０が所定の角度をもって折り曲げられた状態で締結される。
【００２６】
このような構造は、全体的に着用者の顔面に本発明のマスクが密着されることができ、大きさを低減しながらも、避難時間の間に充分の酸素を発生できる程度の容量を有するようになる。
【００２７】
前記二酸化炭素流入部２１０には、前記呼吸部１００を着用した着用者が吐き出した息に含まれた二酸化炭素と湿気が流入される。
【００２８】
前記呼吸部１００の吐出口及び吸入口には、圧力の差異によって開閉されるチェック弁１１１、１２１が設けられており、着用者が息を吐き出す時、チェック弁１１１が開弁し、チェック弁１２１が閉弁し、反対に、息を吸い込む時、チェック弁１１１が閉弁し、チェック弁１２１が開弁するようにすることができる。
【００２９】
前記二酸化炭素流入部２１０の下段部には、二酸化炭素流入孔２１１が設けられており、当該二酸化炭素流入孔２１１は、所定の深さで前記酸素発生部２２０に充填された二酸化カリウム（ＫＯ2）に埋め込められている。
【００３０】
前記酸素発生部２２０は、上面が開放されたものであって、その内部に二酸化カリウム（ＫＯ2）が充填されている。前記二酸化カリウム（ＫＯ2）は、下記の化学式１のように、二酸化炭素（ＣＯ2）と反応して酸素（Ｏ2）を発生させる。
【００３１】
［化学式１］
２ＣＯ2＋４ＫＯ2→２Ｋ2ＣＯ3＋３Ｏ2＋熱
【００３２】
また、下記の化学式２のように、前記湿気もまた二酸化カリウムと反応して酸素を発生させる。
【００３３】
［化学式２］
４ＫＯ2＋２Ｈ2Ｏ→２ＫＯＨ＋３Ｏ2＋熱
【００３４】
すなわち、本発明は、着用者が吐き出した息の二酸化炭素及び湿気を二酸化カリウムと反応させて酸素を発生させる。
【００３５】
前記化学式２の反応結果物である２ＫＯＨは、さらに下記の化学式３のような反応を通じて酸素を発生させる。このような二重反応を通じて酸素を発生させて、着用者が吐き出した息の二酸化炭素を用いて呼吸に必要な酸素を十分に発生させることができる。
【００３６】
［化学式３］
２ＫＯＨ＋４ＣＯ2→Ｋ2ＣＯ3＋３Ｏ2＋Ｈ2Ｏ
【００３７】
この際、使用する二酸化カリウム（ＫＯ2）は、２〜４ｍｍ粒径の顆粒（granule）であることが好ましく、前記化学式１と化学式２及び化学式３の反応をさらに促進するために、触媒をさらに含むことができる。
【００３８】
また、前記二酸化カリウムを通る二酸化炭素の流れが向流式なので、二酸化炭素と二酸化カリウムとの反応でクラスターが発生せずに、効果的な反応が生じるようになる。
【００３９】
前記化学式１及び化学式２で発生した酸素は、温度が約４０℃以上であり、このため、着用者が直接呼吸することが困難である。
【００４０】
前記発生した酸素は、前記酸素移動部２３０を介して酸素貯蔵部２４０に貯蔵される。前記酸素移動部２３０の形状は、底面が開放された半円筒形状の構造となっており、前記酸素発生部２２０から発生した酸素が下向き移動し、酸素貯蔵部２４０に貯蔵されるようにする。
【００４１】
この際、本発明に係る酸素発生装置の体積を低減するために、前記酸素が移動する経路は、前記酸素発生部２２０の外側面部に限定される。すなわち、前記酸素発生部２２０の前面と酸素移動部２３０の背面とは密着している。
【００４２】
このように移動した酸素を貯蔵する酸素貯蔵部２４０は、発生した酸素を保管し、且つ温度を若干下げる役割をする。
【００４３】
前記酸素貯蔵部２４０に貯蔵された酸素は、着用者の吸い込む息によりフィルタ部２５０に流入され、前記吸入口を介して呼吸部１００に流入され、着用者が呼吸をしながら緊急に避難することができるようになる。
【００４４】
前記フィルタ部２５０は、前記酸素貯蔵部２４０から流入される酸素に残存する二酸化炭素を除去する二酸化炭素吸着部２５１と、当該二酸化炭素が除去された酸素から湿気を除去する湿気除去部２５２とで構成される。
【００４５】
前記二酸化炭素吸着部２５１及び湿気除去部２５２は、各々空気の流れが可能な仕切り膜２５３により分離され、当該吸着部２５１には、ソーダライム（soda lime）が充填されている。
【００４６】
前記ソーダライムは、水酸化ナトリウム（sodium hydroxide）、水酸化カリウム （potassium hydroxide）及び水酸化カルシウム（calcium hydroxide）の混合物であって、炭酸ガスを吸収する作用をする。
【００４７】
このように、前記二酸化炭素吸着部２５１の作用により、着用者が呼吸する空気には、二酸化炭素がほとんど除去される。
【００４８】
また、前記湿気除去部２５２には、シリカゲル（silica gel）が充填されており、この無水珪酸塩を主成分とする多孔性粒子を使用して、発生した酸素から湿気を除去する。
【００４９】
この際、二酸化炭素を除去すると共に、湿気を除去することによって、前記着用者が呼吸する酸素の温度を下げることができる。
【００５０】
すなわち、本発明は、簡単な構造を使用して着用者の吸い込む息に含まれた二酸化炭素を用いて酸素を発生させ、発生した酸素の温度を下げることによって、着用者が再呼吸することができるようにし、保管及び携帯が容易である。
【００５１】
前記フィルタ部２５０は、前記酸素移動部２３０の外側面に所定の角度で折り曲げられて配置される半円筒型構造であり、その下部は、一部が前記酸素貯蔵部２４０に挿着されている。
【００５２】
このような構造により、前記フィルタ部２５０と酸素移動部２３０の背面側は、着用者に密着することができ、前面側は、丸い曲面をなし、これにより、避難の際、障害物にひっかからずに避難することができる。
【００５３】
＜実施形態２＞
図４は、本発明の一実施形態に係る緊急避難用酸素マスクの呼吸部１００を示す構成図である。
【００５４】
図４を参照すれば、本発明の緊急避難用酸素マスクの呼吸部１００は、着用者の顔面部の呼吸器の周辺を密閉し、吸入口１１及び吐出口１２を備えたマスク１０と、各々の両端が前記マスク１０の両側面の各々から所定の距離をもって離隔された位置に結合される締結紐２０、３０と、前記締結紐２０、３０の一部が挿入され、当該締結紐２０、３０各々の隔離距離を維持するイヤガイド（ear guide）４０と、前記締結紐２０、３０の中央部に各々配設されるバンドクリップ５０と、前記バンドクリップ５０の内側に配置されるように前記一方の締結紐３０の中央部に結合され、前記吸入口１１を遮蔽したり、着用者の頭から締結紐２０、３０の垂れ下がりを防止するパッド６０とを備えて構成される。
【００５５】
以下、前述のように構成された本発明の一実施形態に係る緊急避難用酸素マスクの呼吸部１００の構成及び作用について詳細に説明する。
【００５６】
まず、マスク１０は、着用者の呼吸器である鼻と口の周辺に空間を設けることができる形状よりなり、当該空間の端部には、着用者の顔面と密着して、マスク１０内の酸素が外部に漏れるか、外部の空気がマスク１０内側に流入しない構造なら、その構造に関係なく使用することができる。
【００５７】
また、前記マスク１０には、着用者が吐き出した二酸化炭素を排気する吐出口１２と、酸素の吸入のための吸入口１１とが設けられており、当該吐出口１２と吸入口１１には、チェック弁が結合されることができる。
【００５８】
前述のような構造のマスク１０の両側面には、締結紐２０、３０が各々結合される。
【００５９】
前記締結紐２０、３０は、各々単一のものであってもよく、各々の両端がマスク１０の一側面部に所定の間隔をもって離隔された位置に結合される。
【００６０】
前記締結紐２０、３０は、火災などの災難事故により停電された場合にも、着用者が容易に確認することができるようにすると共に、マスク１０を着用した着用者を容易に確認することができるようにするために、蛍光物質が塗布されたり、蛍光シートが接着されたものを使用することができる。
【００６１】
前記締結紐２０、３０の、マスク１０と締結された両端と中央部との間には、イヤガイド４０が配設される。
【００６２】
着用者がマスク１０を着用した状態で、前記イヤガイド４０は、着用者の耳の後方に配設されるようになり、前記マスク１０に結合された締結紐２０、３０の両端間隔を維持し、当該締結紐２０、３０が着用者の耳にひっかかって着用が不便になることを解消することができる。
【００６３】
また、着用者の耳を常に露出された状態にして、火災などの災難時に、外部の声をよく聴取できるようにし、避難案内に応じて迅速に避難できるようにする。
【００６４】
そして、前記締結紐２０、３０の中央部には、各々相互締結可能なバンドクリップ５０が結合されている。
【００６５】
図５は、本発明の好ましい一実施形態に係るバンドクリップ５０を示す側面構成図である
【００６６】
図５を参照すれば、前記バンドクリップ５０は、一端が前記締結紐３０の中央部に締結され、他端が折り曲げられたフックを備えたフック部５１と、一端が前記締結紐２０の中央部に締結され、他端が前記フック部５１のフックに係着されるループを備えたループ部５２とで構成される。
【００６７】
前記フック部５１の形状は、ループ部５２が容易に離脱しないように、内側に突起を有することができる。
【００６８】
また、前記バンドクリップ５０の後面には、着用時、締結紐３０が垂れ下がらないように、パッド６０が設けられる。このパッド６０は、ゴム材であり、マスク１０の保管時、吸入口１１を密閉する機能をも行う。
【００６９】
図６は、本発明の好ましい一実施形態に係るパッド６０を示す側面構成図である。
【００７０】
図６を参照すれば、前記パッド６０は、楕円形本体６１と、該本体６１の底面側から突出し、前記締結紐３０の中央部が挿入固定される締結部６２と、該締結部６２とは反対側に突出した円形の吸入口密閉部６３とを含む。
【００７１】
前記パッド６０に吸入口密閉部６３を設けた理由は、前記マスク１０の吸入口側に二酸化炭素を酸素に変換するための化学物質が充填された酸素発生器が結合された場合、当該酸素発生器の化学物質の変質を防止するためである。
【００７２】
このように構成される本発明の一実施形態に係る緊急避難用酸素マスクの着用方法は、マスク１０を着用者の顔面部の呼吸器側に密着させ、両側の締結紐２０、３０を頭部の後方下段部に引っ張って、前記バンドクリップ５０のフック部５１とループ部５２とを相互締結して固定する。
【００７３】
この際、着用者がヘルメットを使った状態でも、緊急避難用酸素マスクを着用できるようになり、イヤガイド４０により着用者の耳に締結紐２０、３０がひっかからないようになり、容易に着用することができる。
【００７４】
また、前記締結紐２０、３０を相互連結するバンドクリップ５０が頭部の後方下段に配設されるので、ヘルメットと関係なく着用することができる。
【００７５】
＜実施形態３＞
図７は、本発明の他の実施形態に係る緊急避難用酸素マスクの分離構成図である。
【００７６】
図７を参照すれば、前記締結紐２０、３０は、直接マスク１０に締結されずに、マスク１０の外面を包むマスクガイド７５に締結される。
【００７７】
前記マスクガイド７５は、マスク１０の外面の一部を覆う形状であり、前記マスク１０の吸入口１１及び吐出口１２に対応する孔が設けられている。
【００７８】
前記マスクガイド７５は、不燃又は難燃材質であり、前記締結紐２０、３０により着用者の顔面部側に密着され、マスク１０と着用者の顔面部をさらに密着させる役割をする。
【００７９】
特に、前記マスクガイド７５は、マスク１０とは異なって、硬質のものを使用することができ、締結紐２０、３０の引っ張りによりマスク１０が変形又は損傷されることを防止できるようになる。
【００８０】
＜実施形態４＞
図８は、本発明の他の実施形態に係る緊急避難用酸素マスクの呼吸部の構成図である。
【００８１】
図８を参照すれば、本発明の他の実施形態に係る緊急避難用酸素マスクは、前記実施形態１の構成に、着用者の鼻面とマスク１０とを密着させるためのクリップ７０をさらに含む。
【００８２】
前記クリップ７０は、中央部が折り曲げられ、且つ折り曲げ部の両側部が内側に適当な復原力を有するものを使用する。
【００８３】
前記クリップ７０の材質は、合成樹脂又は金属を使用することができる。
【００８４】
人体の鼻面は、その高さと形状が着用者に応じて異なり、鼻面が標準値に比べてあまり高いか、低い場合、又は標準値に比べて太いか、薄い場合、前記マスク１０と完全に密着しないことがある。
【００８５】
前記マスク１０と着用者の顔面部とが完全に密着しない場合、火災により発生した外部の一酸化炭素などがマスク１０の内部に流入されることができるので、前記クリップ７０を用いて着用者の鼻面とマスク１０とを完全に密着させことによって、外部空気の流入を防止できるようになる。
【００８６】
＜実施形態５＞
図９は、本発明のさらに他の実施形態に係る緊急避難用酸素マスクの呼吸部１００の分離構成図である。
【００８７】
図９を参照すれば、本発明の緊急避難用酸素マスクの呼吸部１００には、マスク１０の両側面部の上部に結合突起部１３が設けられており、当該結合突起部１３は、メガネ部８０の底面に設けられた結合孔８１に挿入され、メガネ部８０をマスク１０上に結合固定できるように構成される。
【００８８】
前記メガネ部８０は、着用者の目を保護するメガネ部本体８２と、前記メガネ部本体８２の側面に結合され、着用者の頭にメガネ部８０を固定するメガネ部締結紐８３とを備える。
【００８９】
前記メガネ部締結紐８３は、前記バンドクリップ５０と同じ形態のクリップにより両端が締結されるものであってもよく、連結部がないものであってもよく、その他の連結手段を使用してメガネ部８０を固定してもよい。
【００９０】
前記メガネ部本体８２は、その構造に関係なく多様な形態を使用することができるが、より好ましい構造は、鼻面が突出する部分に溝が設けられ、該溝は、マスク１０と着用者の鼻面とを互いに密着させることができるように、狭い幅を有するものである。
【００９１】
すなわち、マスク１０と着用者の鼻面との間の着用者の呼吸がメガネ部８０側に流出されることを防止することができ、メガネ部８０に曇りが発生することを防止できるようになる。
【００９２】
前記マスク１０から突出した結合突起部１３の形状は、上段部の直径がさらに大きく、当該直径がさらに大きい上段部の上部と下部は、各々傾斜面である。
【００９３】
これは、結合突起部１３によるメガネ部８０の脱着が一層容易なようにしたものである。
【００９４】
このように、本発明のさらに他の実施形態に係る緊急避難用酸素マスクは、メガネ部８０の脱着が可能なようにし、緊急避難用酸素マスクの適用分野に応じてメガネ部８０を選択的に使用できるようになる。
【００９５】
＜実施形態６＞
図１０は、本発明のさらに他の実施形態に係る緊急避難用酸素マスクの構成図である。
【００９６】
図１０を参照すれば、本発明のさらに他の実施形態に係る緊急避難用酸素マスクの呼吸部は、太陽電池９０をさらに備えて構成される。
【００９７】
前記太陽電池９０は、包装状態でも選択的に露出され得るようにして、太陽光や室内照明により充填状態を維持できるようにする。
【００９８】
前記太陽電池９０に充填された電源は、緊急避難用酸素マスク着用者の音声を増幅する増幅器と、緊急避難用酸素マスクに取り付けられた緊急避難用照明などに利用されることができる。
【００９９】
一般的な音声増幅器又は緊急避難用照明を使用する緊急避難用酸素マスクには、乾電池などの直流電源が設けられているが、緊急待避のための緊急避難用酸素マスクは、保管期限が約３年程度であり、使用せずに保管する期間が長いほど、直流電源の自然放電により直流電源を使用できない場合が発生し得る。
【０１００】
本発明では、太陽電池９０を用いて充填された電源を使用するので、緊急避難用酸素マスクの保管期間中に、電源が自然放電されることを防止することができ、信頼性を向上させることができるようになる。
【０１０１】
以上において説明した本発明は、本発明が属する技術の分野における通常の知識を有する者であれば、本発明の技術的思想を逸脱しない範囲内で、様々な置換、変形及び変更が可能であるので、上述した実施形態及び添付された図面に限定されるものではない。
【図面の簡単な説明】
【０１０２】
【図１】本発明の一実施形態に係る緊急避難用酸素マスクを示す前面透視図である。
【図２】図１の平面透視図である。
【図３】本発明に係る緊急避難用酸素マスクの使用状態図である。
【図４】本発明の一実施形態に係る緊急避難用酸素マスクの呼吸部を示す構成図である。
【図５】本発明の好ましい一実施形態に係るバンドクリップを示す側面構成図である。
【図６】本発明の好ましい一実施形態に係るパッドを示す側面構成図である。
【図７】本発明の他の実施形態に係る緊急避難用酸素マスクを示す分離構成図である。
【図８】本発明の他の実施形態に係る緊急避難用酸素マスクの呼吸部を示す構成図である。
【図９】本発明のさらに他の実施形態に係る緊急避難用酸素マスクの呼吸部を示す分離構成図である。
【図１０】本発明のさらに他の実施形態に係る緊急避難用酸素マスクを示す構成図である。
【符号の説明】
【０１０３】
１００  呼吸部
１１１  チェック弁
１２１  チェック弁
２１０  二酸化炭素流入部
２１１  二酸化炭素流入孔
２２０  酸素発生部
２３０  酸素移動部
２４０  酸素貯蔵部
２５０  フィルタ部
２５１  二酸化炭素吸着部
２５２  湿気除去部
１０    マスク
２０    締結紐
３０    締結紐
４０    イヤガイド
５０    バンドクリップ
６０    パッド
７０    クリップ
７５    マスクガイド
８０    メガネ部
９０    太陽電池
【図１】
0004405483.tif 000002
【図２】
0004405483.tif 000003
【図３】
0004405483.tif 000004
【図４】
0004405483.tif 000005
【図５】
0004405483.tif 000006
【図６】
0004405483.tif 000007
【図７】
0004405483.tif 000008
【図８】
0004405483.tif 000009
【図９】
0004405483.tif 000010
【図１０】
0004405483.tif 000011